(57)【要約】【課題】軽量、かつ見映えの優れた屋外機用架台を提供すること。【解決手段】上部に屋外機１００を設置可能とするとともに内部に屋外機１００に接続する冷媒配管１１０を収容可能とする横長となる直方体のフレーム構造を有する屋外機用架台２であって、直方体の各辺を断面寸法が同一である断面コの字状の溝形鋼を溶接することにより構成したので、軽量、かつコストに優れた屋外機用架台２とすることができる。また、同一の断面寸法を有する山形鋼で構成したブレースを備えたので、屋外機用架台２のフレーム構造を堅牢なものとすることができる。【選択図】        図２
2009109076.tif 000002
【特許請求の範囲】
【請求項１】
上部に屋外機を設置可能とするとともに内部に屋外機に接続する冷媒配管を収容可能とする横長となる直方体のフレーム構造を有する屋外機用架台であって、
前記直方体の各辺を断面寸法が同一である鋼材を溶接することにより構成したことを特徴とする屋外機用架台。
【請求項２】
前記直方体の各辺を構成する鋼材が断面コの字状である溝形鋼であることを特徴とする請求項１に記載の屋外機用架台。
【請求項３】
前記フレーム構造を強化するブレースをさらに備えた屋外機用架台であって、
前記ブレースを同一の断面寸法を有する鋼材により構成したことを特徴とする請求項１に記載の屋外機用架台。
【請求項４】
前記ブレースを構成する鋼材が断面Ｌの字状である山形鋼であることを特徴とする請求項３に記載の屋外機用架台。
【発明の詳細な説明】
【技術分野】
【０００１】
本発明は、空調設備の屋外機等を建物の屋上等に設置するための屋外機用架台に関するものである。
【背景技術】
【０００２】
パッケージ空調機等の空調設備の屋外機を建物の屋上等に複数設置する場合には、Ｈ形鋼等を転用することにより、屋外機用架台となし、屋外機を設置するのが通例であった。このため、屋外機用架台は、重く、かつ見映えを損なうものとなっていた。
【０００３】
一方、これら屋外機に接続する冷媒配管を収容する配管用架台が各種提案されている（例えば、特許文献１、特許文献２参照）。これらの配管用架台は、冷媒配管を効率的に収容する点で優れたものとなっている。
【０００４】
【特許文献１】登録実用新案第３０４６７４１号公報
【特許文献２】特開平８−１３６００９号公報
【発明の開示】
【発明が解決しようとする課題】
【０００５】
しかしながら、このような配管用架台に冷媒配管を収容することにしても、Ｈ形鋼等を転用した屋外機用架台を用いて屋外機を設置したのでは、屋外機用架台が重く、かつ見映えを損なうことに変わりはない。また、配管と屋外機用架台とは別々に設置されるため、設置スペースが必要であり、部品も多くなるため、設置工数、工期を要する。
【０００６】
本発明は、上記に鑑みてなされたものであって、軽量、かつ見映えの優れた屋外機用架台を提供することを目的とする。
【課題を解決するための手段】
【０００７】
上述した課題を解決し、目的を達成するために、本発明は、上部に屋外機を設置可能とするとともに内部に屋外機に接続する冷媒配管を収容可能とする横長となる直方体のフレーム構造を有する屋外機用架台であって、前記直方体の各辺を断面寸法が同一である鋼材を溶接することにより構成したことを特徴とする。
【０００８】
また、本発明は、上記発明において、前記直方体の各辺を構成する鋼材が断面コの字状である溝形鋼であることを特徴とする。
【０００９】
また、本発明は、上記発明において、前記フレーム構造を強化するブレースをさらに備えた屋外機用架台であって、前記ブレースを同一の断面寸法を有する鋼材により構成したことを特徴とする。
【００１０】
また、本発明は、上記発明において、前記ブレースを構成する鋼材が断面Ｌの字状である山形鋼であることを特徴とする。
【発明の効果】
【００１１】
本発明に係る屋外機用架台は、上部に屋外機を設置可能とするとともに内部に屋外機に接続する冷媒配管を収容可能とする横長となる直方体のフレーム構造を有するので、上部に屋外機を設置するとともに内部に冷媒配管を収容すれば、見映えを損なうことがない。また、直方体の各辺を断面寸法が同一である鋼材を溶接することにより構成したので、屋外機用架台の作成に要するコストを抑制できる。
【００１２】
また、本発明に係る屋外機用架台は、フレーム構造を強化するブレースをさらに備えたので、軽量なものとすることができる。
【発明を実施するための最良の形態】
【００１３】
以下に、本発明に係る屋外機用架台の実施の形態を図面に基づいて詳細に説明する。なお、この実施の形態によりこの発明が限定されるものではない。
【００１４】
図１は、本発明の実施の形態である屋外機用架台の正面図、図２は図１に示した屋外機用架台の側面図、図３は図１に示した屋外機用架台の平面図である。
【００１５】
本発明の実施の形態である屋外機用架台は、空調設備を構成する屋外機を建物の屋上等に設置するためのものであって、単独で使用することもできれば、複数連結して使用することもできるものである。この屋外機用架台は、設置する屋外機１００の台数によって適宜選択することができるようになっており、長さが異なる屋外機用架台２，３が用意されている。具体的には、長さが３メートル、４メートルの二種類が用意されており、これらを単独で用いることにより、長さ３メートルの屋外機用架台２、長さ４メートルの屋外機用架台３とすることもできれば、長さ３メートルの屋外機用架台を二つ連結することにより長さ６メートルの屋外機用架台、長さ３メートルの屋外機用架台と長さ４メートルの屋外機用架台を連結することにより長さ７メートルの屋外機用架台１、長さ４メートルの屋外機用架台を二つ連結することにより長さ８メートルの屋外機用架台、・・・とすることもできるようになっている。なお、屋外機用架台２，３の長さを３メートルと４メートルとしたのは、海外生産した屋外機用架台を日本国内に輸入することとした場合に、輸送の便宜を図るためであり、より具体的には、輸入に用いる２０フィートコンテナに効率的に収容できる長さとしたものである。
【００１６】
ここでは、図１〜図３に示すように、長さ３メートルの屋外機用架台２と長さ４メートルの屋外機用架台３とを連結した長さ７メートルの屋外機用架台１を例として説明する。
【００１７】
本実施の形態である長さ７メートルの屋外機用架台１は、図１及び図３において、長さ３メートルの屋外機用架台２を左側に設置し、長さ４メートルの屋外機用架台３を右側に配置した状態で連結したものである。
【００１８】
ここで、長さ３メートルの屋外機用架台２と長さ４メートルの屋外機用架台３とは、長さが異なるだけであるので、図４〜図７に基づいて、長さ３メートルの屋外機用架台２（以下、単に屋外機用架台２と称する）についてのみ説明し、長さ４メートルの屋外機用架台３についての説明を省略する。なお、図４は図１に示した長さ３メートルの屋外用架台の正面図、図５は図４に示した屋外機用架台の側面図、図６は図４に示した屋外機用架台の平面図、図７は図４に示した屋外機用架台の側部を示す斜視図である。
【００１９】
図４〜図７に示すように、屋外機用架台２は、二種類の枠体２１，２２を溶接することにより、横長となる直方体のフレーム２０を構成している。一の枠体２１（以下の説明において側枠２１と称する）は、直方体の側面及び横断面に配置される枠体であって、設置する屋外機１００の幅と略同一の幅を有している。側枠２１は、断面がコの字状である溝形鋼を平坦面が同一の方向に向くように溶接することにより、構成したものである。このように構成した側枠２１は、所定の間隔（本実施の形態では略１メートル）で配設され、少なくとも直方体の側面となる位置に配設される側枠２１は、平坦面が外方に臨むように配設される。また、直方体の側面となる位置に配設される側枠２１には、他の屋外機用架台（本実施の形態では、４メートルの屋外機用架台３）と連結するための連結孔２１１が設けてある。
【００２０】
他の一の枠体２２（以下の説明において正面枠２２と称する）は、直方体の前面及び後面に配置される枠体であって、側枠２１が配置される位置には、支柱２３が配設されるようになっている。正面枠２２は、側枠２１と同様に、断面がコの字状である溝形鋼を平坦面が同一方向を向くように溶接することにより、構成してある。また、正面枠２２には、トラス構造を構成するブレース２４が溶接してある。ブレース２４は、断面がＬ字状である山形鋼であって、図４に示すように、平坦面が外方に臨む態様で、正面枠２２においてハの字となるように配置されるように溶接してある。
【００２１】
図７に示すように、このように構成した正面枠２２は、平坦面が直方体の内方を臨む状態で直方体の角部において側枠２１が側方に突出する態様で側枠２１と溶接される。これは、屋外機用架台２の側面が平坦となるようにするとともに、溶接を容易にするためである。
【００２２】
これら側枠２１と正面枠２２を構成する溝形鋼は、同一の断面寸法を有するものを採用している。これは、溝形鋼の手配を容易なものとするとともに、溝形鋼を効率的に用いることを目的としたもので、この結果、屋外機用架台１，２，３のコストダウンに資することが可能になる。
【００２３】
このように側枠２１と正面枠２２とを溶接することにより横長となる直方体のフレームを構成する屋外機用架台２は、トラス構造を構成するブレース２５が溶接してある。ブレース２５は、正面枠２２のブレース２４と同様に、断面がＬ字状である山形鋼であって、図４〜図６に示すように、平坦面が上方を臨む態様で、正面枠の上部を構成する溝形鋼の下面に溶接してある。
【００２４】
このブレース２５と上述した正面枠２２のブレース２４を構成する山形鋼は、同一の断面寸法を有するものを採用している。これは、山形鋼の手配を容易なものとするとともに、山形鋼を効率的に用いることを目的としたもので、この結果、屋外機用架台１，２，３のコストダウンに資することが可能となる。
【００２５】
このように構成した屋外機用架台２，３には、図３に示すように、屋外機１００を設置するための受けアングル４が取り付け可能となっている。受けアングル４は、本実施の形態である屋外機用架台１，２，３に幅が異なる屋外機１００を設置可能とするためのもので、上述したブレース２４，２５と同地の断面寸法を有する山形鋼により構成してある。
【００２６】
また、図１に示すように、屋外機用架台２，３の前面と後面とには、カバー５が取り付け可能となっている。カバー５は、前面開口と後面開口を塞ぐためのもので、断面がコの字状となるように折り曲げた部材で作成してある。このカバー５は、ブレース２４と正面枠２２に溶接した取付金具２６に取り付けるようになっている。
【００２７】
また、屋外機用架台１には、図１に示すように、架台固定金物６が取り付け可能となっている。架台固定金物６は、建物に屋外機用架台１を固定するためのものである。
【００２８】
なお、これら屋外機用架台２，３、受けアングル、カバー５、架台固定金物６は、浸漬メッキが施してあり、錆びないようになっている。
【００２９】
このように構成した屋外機用架台１は、図８に示すように、上部に屋外機１００のほか、ユニット化した動力盤２００を設置するようになっている。なお、図８に示した屋外機用架台１は、屋上に設けられたコンクリート製の基礎４００の上に設置するようにしているが平基礎の上に設置するようにしても構わない。
【００３０】
本発明の実施の形態である屋外機用架台１は、図８に示すように、上部に屋外機１００のほか動力盤２００を設置するとともに、内部に冷媒配管１１０及び配線１２０を収容するようになっているので、従来のようにＨ形鋼を屋外機用架台に転用した場合のように見映えを損なうことがない。また、屋外機用架台１を構成する側枠２１と正面枠２２とを断面寸法が同一である溝形鋼を溶接することにより構成したので、屋外機用架台１の製造に要するコストを抑制できる。
【００３１】
さらに、屋外機用架台１は、フレーム２０を強化するブレース２４，２５を更に備えることによりトラス構造としたので、軽量なものとすることができる。また、ブレース２４，２５を断面寸法が同一である山形鋼を溶接することにより構成したので、屋外機用架台２の製造に要するコストを抑制できる。
【００３２】
さらに、トラス構造で屋外機用架台１を構成したので、高さ方向の寸法が大きな屋外機用架台１を企画した場合には、Ｈ形鋼で屋外機用架台を構成する場合よりもコストを抑制できる。この結果、屋外機用架台１の高さ方向の寸法をメンテナンスし易い寸法（例えば、高さ３５０ｍｍ〜４００ｍｍ）とすることができる。
【００３３】
また、屋外機用架台２，３の前面あるいは後面に取り付けたカバー５を取り外せば、前面開口あるいは後面開口から屋外機用架台２，３の内部の冷媒配管１１０及び配線１２０を点検することができるので、メンテナンス等の作業効率にも優れている。より具体的には、屋外機用架台１の上部に設置した屋外機１００及び動力盤２００を取り外すことなくメンテナンスが可能である。
【００３４】
さらに、作業環境の整った工場あるいは現場内に設けられた加工場において、屋外機用架台１の内部に動力線を含む配線、冷媒配管１１０を収容するとともに、屋外機用架台１の上部に屋外機１００及び動力盤２００を設置すれば、組立工数が少なくて済み、また、従来ならば、各々の屋外機を複数日に分けて揚重していたのに対し、屋上（設置場所）への揚重を一回で済ませることもできる。このようにすれば、屋上（設置場所）での作業を少なく済ませることができるので、屋上の工期を大幅に短縮できる（例えば、二週間から一日に短縮できる）。
【図面の簡単な説明】
【００３５】
【図１】本発明の実施の形態である屋外機用架台の正面図である。
【図２】図１に示した屋外機用架台の側面図である。
【図３】図１に示した屋外機用架台の平面図である。
【図４】図１に示した３メートルの屋外機用架台の正面図である。
【図５】図４に示した屋外機用架台の側面図である。
【図６】図４に示した屋外機用架台の平面図である。
【図７】図４に示した屋外機用架台の側部を示す斜視図である。
【図８】屋外機及び動力盤を搭載した屋外機用架台を示す概念図である。
【符号の説明】
【００３６】
１，２，３    屋外機用架台
４    受けアングル
５    カバー
６    架台固定金物
２０    フレーム
２１    側枠（枠体）
２１１    連結孔
２２    正面枠（枠体）
２３    支柱
２４    ブレース
２５    ブレース
２６    取付金具
１００    屋外機
１１０    冷媒配管
１２０    配線
２００    動力盤
４００    基礎
【図１】
2009109076.tif 000003
【図２】
2009109076.tif 000004
【図３】
2009109076.tif 000005
【図４】
2009109076.tif 000006
【図５】
2009109076.tif 000007
【図６】
2009109076.tif 000008
【図７】
2009109076.tif 000009
【図８】
2009109076.tif 000010